(57)【要約】【課題】電動車椅子は、運転者の身体的特質等により運転シートへの乗降が簡単、容易であることが必要である。ステップフロア上面にフロアガードを取付けたり、出入可能に設ける形態では、運転者の乗降の邪魔になり易く、出入れ操作が面倒である。【解決手段】ステアリングポスト１の位置するフロントカバー２と、この後方の運転シート３との間に形成されるステップフロア４の外側縁部に沿って、この前側、乃至後側位置から前後に起伏回動して出退可能のフロアガード５を設けたことを特徴とする電動車椅子のステップフロアの構成とする。【選択図】図１
2009082639.tif 000002
【特許請求の範囲】
【請求項１】
ステアリングポスト（１）の位置するフロントカバー（２）と、この後方の運転シート（３）との間に形成されるステップフロア（４）の外側縁部に沿って、この前側、乃至後側位置から前後に起伏回動して出退可能のフロアガード（５）を設けたことを特徴とする電動車椅子のステップフロア。
【発明の詳細な説明】
【技術分野】
【０００１】
この発明は、電動車椅子のステップフロアに関し、ステップフロア上における手荷物等の載置、及び運転者の乗降を容易にするものである。
【背景技術】
【０００２】
ステップフロア上面に荷物を載置し易くするために、フロアガードを取付けたり、起伏回動する技術（例えば、特許文献１,２参照）が知られている。
【特許文献１】実開昭６３―３２０８７号公報（第１頁、図２）
【特許文献２】実開昭５６―１４７９２号公報（第１頁、図２）
【発明の開示】
【発明が解決しようとする課題】
【０００３】
電動車椅子は、運転者の身体的特質等により運転シートへの乗降が簡単、容易であることが必要である。ステップフロア上面にフロアガードを取付けたり、出入可能に設ける形態では、運転者の乗降の邪魔になり易く、出入れ操作が面倒である。
【課題を解決するための手段】
【０００４】
請求項１に記載の発明は、ステアリングポスト１の位置するフロントカバー２と、この後方の運転シート３との間に形成されるステップフロア４の外側縁部に沿って、この前側、乃至後側位置から前後に起伏回動して出退可能のフロアガード５を設けたことを特徴とする電動車椅子のステップフロアの構成とする。運転者が運転シート３に乗降するときは、ステップフロア４の外側縁部に出されているフロアガード５を前後方向へ起伏回動して、このステップフロア４の前側、又は後側部へ収納させる。運転者が運転シート３に着座した姿勢で、このフロアガード５を回動操作して、ステップフロア４の外側縁部に出すことができ、ステップフロア４上面に載置している荷物を脱落しないように保護するものである。
【発明の効果】
【０００５】
請求項１に記載の発明は、フロアガード５は、この前側、又は後側位置から前・後に起伏回動して、ステップフロア４の外側縁部上に沿って出退させるものであるから、この構成はもとより、回動操作をも簡単、容易にすることができる。特に、フロアガード５を前側へ回動させて収納する形態では、フロントカバー２の横端部に位置させて、ステップフロア４の中央外側縁部上を広く開放して運転者の乗降を行い易くする。又、フロアガード５を後側へ回動させて収納する形態では、運転シート３の横端部に位置させて、この場合も同様に乗降し易い形態とすることができるものである。しかも、これらフロアガード５をフロントカバー２の横端部、又は運転シート３の横側部へ収納させた状態は、電動車椅子の運転走行においても他の人や、物に対する邪魔や、障害になることはなく、安全走行することができる。
【発明を実施するための最良の形態】
【０００６】
図例に基づいて、電動車椅子は、前輪６と後輪７を有した四輪走行形態で、後輪７を運転シート３下側のバッテリカバー８で覆われた電動モータ９によって連動駆動して走行することができる。このバッテリカバー８内には、この電動モータ９を駆動するバッテリ１０を載置している。前輪６は、ステアリングポスト１上のハンドル１１によって操向可能に設ける。ステップフロア４は、このフロントカバー２の下部からバッテリカバー８の下部にわたって形成され、左右両側部前・後端部には、前輪６上を覆うフロントフェンダー１２を形成し、後端部には後輪７上を覆うリヤフェンダー１３を形成する。これらフロントフェンダー１２は、フロントカバー２部の外側部に形成され、リヤフェンダー１３はバッテリカバー８の外側部に形成される。これらステップフロア４の左右両側部の前・後端部には、足元部のスペースを広く形成するために、フロントカバー２部を前側へ窪ませたフロントスペースＦを形成し、バッテリカバー８をリヤフェンダー１３との間にリヤスペースＲを形成している。このようなフロントスペースＦ、又はリヤスペースＲを利用して収納可能のフロアガード５を構成する。
【０００７】
ここにおいて、ステアリングポスト１の位置するフロントカバー２と、この後方の運転シート３との間に形成されるステップフロア４の外側縁部に沿って、この前側、乃至後側位置から前後に起伏回動して出退可能のフロアガード５を設けたことを特徴とする電動車椅子のステップフロア４の構成とする。運転者が運転シート３に乗降するときは、ステップフロア４の外側縁部に出されているフロアガード５を前後方向へ起伏回動して、このステップフロア４の前側、又は後側部へ収納させる。運転者が運転シート３に着座した姿勢で、このフロアガード５を回動操作して、ステップフロア４の外側縁部に出すことができ、ステップフロア４上面に載置している荷物を脱落しないように保護するものである。
【０００８】
フロアガード５は、適宜径の棒材、乃至パイプ材によって形成するが、板金製や合成樹脂製の構成とすることも可能である。この一端をステップフロア４の前端外側部に、支軸１４周りに前後回動自在にして取付ける。このフロアガード５は中央部を湾曲させて規制部１５を形成し、先端部は内側へ折曲して係止部１６を形成する。この規制部１５は、前側へ回動して収納状態Ｂにしたときは、フロントスペースＦ又はフロントポケット１７周りに嵌合する形態となって邪魔にならない。又、後側へ回動してステップフロア４の外側縁部に出して使用状態Ａにしたときは、このステップフロア４上面に載置された荷物の横移動、脱落を防止することができる。又、係止部１６は、この収納状態Ｂでは、フロントカバー２幅中央部に設けられるフロントポケット１７部に形成のクリップ溝１８に係合させて、この収納位置Ｂを維持し、又、使用状態Ａにしたときは、ステップフロア４の後端外側縁部に形成のクリップ溝１９に係合して、これら収納状態Ｂや、使用状態Ａを維持するように構成している。又、このようなクリップ溝１８，１９を形成することによって、係止部１６が外された跡のフロントポケット１７や、ステップフロア４の表面に突起物が残らないため、運転者の障害となり難い。
【０００９】
運転者が運転走行するには、荷物Ｗがあるときは、この荷物Ｗをステップフロア４の中央部に載置しておき、フロアガード５を収納状態Ｂに回動した状態でこのステップフロア４に上り、運転シート３に座る。そして、フロアガード５を使用状態Ａに回動させて運転走行する。このようなフロアガード５の起伏回動操作は、運転者が運転シート３上に座っていても、又、ステップフロア４から外側に降りた態勢にあっても、単なる前後方向の回動操作であり、かつステップフロア４の外側縁部上に位置して出退するものであるから、簡単、容易に操作することができる。しかも、収納状態Ｂでは、運転者はもとより、隣接者に対しても障害とならない。また、このフロアガード５の回動方向が支軸１４周りの前後方向であるから、ステップフロア４の横外側方へ突出することがなく、安全な切替操作を行うことができる。
【００１０】
又、前記フロアガード５は、フロントスペースＦ側に収納可能に構成したが、逆にリヤスペースＲ側へ回動させて収納可能に構成することもできる。この形態では支軸１４をステップフロア４の後端側に設定して、クリップ溝１９を前端側に形成する。又、収納状態の係止部１６を係止するためのクリップ溝１８をバッテリカバー８部、乃至フェンダー１３部に形成することができ、このフロアガード５の回動方向が前・後逆の状態になる。収納状態のフロアガード５は、バッテリカバー８の外側面に沿うリヤスペースＲに収納保持される。
【００１１】
次に、主として図３、図４に基づいて、左右両側のフロアガード５先端部相互間を、一体に連結２０して、ループ状形態に形成したものである。この連結部２０は、起伏回動によって使用状態Ａでは、ステップフロア４後端部のバッテリカバー８との接合部に位置して運転者の足元部の邪魔にはなり難い。又、収納状態Ｂでは運転者から前方に離間した位置にある。このような連結部２０でループ状に連結された形態にあっては、運転者がシート３上に座った態勢では、足元部がフロアガード５の起伏回動の邪魔になり易いが、フロントガード５を収納状態Ｂから使用状態Ａに倒した後、ステアリングポスト１に沿って米袋等を立てて置き、再度フロントガード５を起立させてその米袋等を保持させることが可能である。尚、フロントガード５の起立保持手段としては、支軸１４をラチェット方式やロック方式にしたり、フロントガード５をフロントカバー２へネジ止めしたりする等、適宜の手段で保持すればよい。
【図面の簡単な説明】
【００１２】
【図１】移動車椅子の側面図とその一部の斜視図。
【図２】その平面図。
【図３】フロアガード部の別例を示す電動車椅子の側面図。
【図４】その平面図。
【符号の説明】
【００１３】
１    ステアリングポスト
２    フロントカバー
３    運転シート
４    ステップフロア
５    フロアガード
【図１】
2009082639.tif 000003
【図２】
2009082639.tif 000004
【図３】
2009082639.tif 000005
【図４】
2009082639.tif 000006